(57)【要約】【課題】酸素ガスを含む空気等の外気や虫が袋の内部に入ることを防止することができ、かつ、収納物としてのバナナ、ブロッコリー等の青果物から発生したガスを袋の外に排出することが可能な青果物用包装袋を提供する。【解決手段】バナナ用包装袋１は、バナナを挿入するために用いられる挿入口部１１を有し、底部１２には、２枚のフィルムの一部が重なり合って溶着されないで形成された複数の開孔部分１２１と溶着されて形成された複数の閉孔部分１２２とが配置されている。一つの開孔部分１２１と一つの閉孔部分１２２とが底部１２の縁の延びる方向に互い違いに並んで形成された開閉列１２０ａ、１２０ｂが少なくとも２列、底部１２の縁にそって配置され、一つの開孔部分１２１と一つの閉孔部分１２２とが底部１２から挿入口部１１に向かう方向に互いに異なる位置に並んでいる。【選択図】図１
2013086854.tif 000002
【特許請求の範囲】
【請求項１】
２枚の合成樹脂製フィルムからなる青果物用包装袋であって、
２枚の前記フィルムの端縁が重なり合って連続して溶着されないで形成された開口部分からなり、青果物を挿入する挿入口部と、
２枚の前記フィルムの一部が重なり合って溶着されないで形成された複数の開孔部分と、２枚の前記フィルムの一部が重なり合って溶着されて形成された複数の閉孔部分とが配置された底部と、
前記挿入口部から、前記底部に向かって延び、２枚の前記フィルムの端縁が重なり合って連続して溶着されて形成された一方側端部と、
前記挿入口部から、前記底部に向かって延び、前記一方側端部に対向する側に配置され、２枚の前記フィルムの端縁が重なり合って連続して溶着されて形成された他方側端部と、を備え、
複数の前記開孔部分と前記閉孔部分の群からなり、一つの前記開孔部分と一つの前記閉孔部分とが前記底部の縁の延びる方向に互い違いに並んで形成された開閉列が、少なくとも２列、前記底部の縁にそって配置され、
少なくとも２列の前記開閉列において一つの前記開孔部分と一つの前記閉孔部分とが、前記底部から前記挿入口部に向かう方向に互いに異なる位置に並んでいる、青果物用包装袋。
【発明の詳細な説明】
【技術分野】
【０００１】
本発明は、一般的には青果物用包装袋に関し、特定的にはバナナ、ブロッコリー等の青果物を包装して店に陳列するために用いられ、通気性を有する青果物用包装袋に関する。
【背景技術】
【０００２】
従来から、バナナを包装して店に陳列するための包装袋として種々の形態のモノが提案されている。
【０００３】
たとえば、特開２０１０−１００３０６号公報（以下、特許文献１という）には、形態を損なうことなく通気性を保って包装することが可能な包装体として、バナナの長さに対応して適宜間隔をあけて複数の通気孔を並べて形成した包装体が記載されている。
【０００４】
また、たとえば、特許第３１５４４４１号公報（以下、特許文献２という）には、バナナが適正な酸素雰囲気下で呼吸作用を継続させることによって鮮度を保持することが可能な包装体として、多数の微細な孔が形成された包装体が記載されている。
【０００５】
さらに、たとえば、特開２００５‐２１９７６４号公報（以下、特許文献３という）、特開２００７−２２５８６号公報（以下、特許文献４という）には、房バナナ等の不定形果実類を包装するために透明性樹脂フィルムと不織布を組み合わせた不定形果実類包装袋が記載されている。
【０００６】
なお、特開平１１‐２４０５７９号公報（以下、特許文献５という）には、ガス抜きができる機能フィルム材が記載されている。
【先行技術文献】
【特許文献】
【０００７】
【特許文献１】特開２０１０−１００３０６号公報
【特許文献２】特許第３１５４４４１号公報
【特許文献３】特開２００５‐２１９７６４号公報
【特許文献４】特開２００７−２２５８６号公報
【特許文献５】特開平１１‐２４０５７９号公報
【発明の概要】
【発明が解決しようとする課題】
【０００８】
しかしながら、特許文献１に記載された包装体では、バナナから発生したエチレンガスを複数の通気孔から放出することができるが、包装体の外から複数の通気孔を通じて酸素ガスが包装体の内部に入るため、バナナが酸化して品質が劣化するという問題があった。また、複数の通気孔を通じて虫が包装体の内部に入るという問題があった。
【０００９】
特許文献２に記載された包装体では、包装体の外から多数の微細な孔を通じて酸素ガスが包装体の内部に入り難いのでバナナの酸化に起因する品質の劣化を抑えることができ、包装体の内部への虫の侵入を防止することができるが、バナナから発生したエチレンガスが包装体の内部に溜りやすいという問題があった。
【００１０】
特許文献３、特許文献４に記載された包装袋では、バナナから発生したエチレンガスが通気性のある不織布を通じて包装袋の外に放出される。しかし、包装袋が透明性樹脂フィルムと不織布を組み合わせて構成されるので、袋の構造が複雑であり、製造コストが高くなるという問題があった。
【００１１】
特許文献５に記載された機能フィルム材では、ガスを発生する収納物として、たとえば、野菜、キノコ類等を収納するのに適しているが、通ガス帯、排気孔部等が袋の上部に配置された溶着部に設けられている。このため、房の拡がった部分を有するバナナ等を収納した場合には、バナナ等から発生するエチレンガスを通ガス帯や排気孔部を通じて袋の外に速やかに排出することが困難であるという問題があった。
【００１２】
そこで、本発明の目的は、酸素ガスを含む空気等の外気や虫が袋の内部に入ることを防止することができ、かつ、収納物としてのバナナ、ブロッコリー等の青果物から発生したガスを袋の外に排出することが可能な青果物用包装袋を提供することである。
【課題を解決するための手段】
【００１３】
本発明に従った青果物用包装袋は、２枚の合成樹脂製フィルムからなる青果物用包装袋であって、挿入口部と、底部と、一方側端部と、他方側端部とを備える。挿入口部は、２枚のフィルムの端縁が重なり合って連続して溶着されないで形成された開口部分からなり、青果物を挿入するために用いられる。底部には、２枚のフィルムの一部が重なり合って溶着されないで形成された複数の開孔部分と、２枚のフィルムの一部が重なり合って溶着されて形成された複数の閉孔部分とが配置されている。一方側端部は、挿入口部から、底部に向かって延び、２枚のフィルムの端縁が重なり合って連続して溶着されて形成されている。他方側端部は、挿入口部から、底部に向かって延び、一方側端部に対向する側に配置され、２枚のフィルムの端縁が重なり合って連続して溶着されて形成されている。複数の開孔部分と閉孔部分の群からなり、一つの開孔部分と一つの閉孔部分とが底部の縁の延びる方向に互い違いに並んで形成された開閉列が、少なくとも２列、底部の縁にそって配置されている。少なくとも２列の開閉列において一つの開孔部分と一つの閉孔部分とが、底部から挿入口部に向かう方向に互いに異なる位置に並んでいる。
【００１４】
本発明の青果物用包装袋を用いて青果物を挿入口部から包装袋内に収納する。その後、シール等により、挿入口部を密封する。この状態で青果物が店等に陳列される。このとき、収納物としてのバナナ、ブロッコリー等の青果物からエチレンガス等のガスが袋内で発生すると、袋内は密閉空間になっているので、袋が膨れ、袋の内圧が高まる。この圧力でエチレンガスが複数の開孔部分を通じて袋の外に排出される。このため、青果物が発生したガスによる悪影響を受けることなく、青果物の鮮度や品質を保持することができる。たとえば、バナナを収納した場合には、バナナが黒くなるのを防止することができる。
【００１５】
また、袋の内部で発生したガスの圧力により、空気等の外気が複数の開孔部分を通じて袋の内部に入ることを防止することができる。このため、酸素ガスが袋の内部に入らないので、青果物が酸化するのを防止することができる。これにより、青果物が腐敗することもなく、美味や鮮度を保つことができる。
【００１６】
さらに、収納物からガスが発生している間は、内圧が外圧よりも高いが、ガスが発生しなくなると、内圧と外圧が平衡状態になる。このときにも、複数の開孔部分を通じたガスの出入りがなくなるので、空気等の外気が複数の開孔部分を通じて袋の内部に入ることを防止することができる。
【００１７】
特に、本発明の青果物用包装袋では、複数の開孔部分と閉孔部分の群からなる開閉列が、袋の底部に位置づけられている。房の拡がった部分を有するバナナ、ブロッコリー等を収納した場合には、その拡がった部分を袋の底部に位置づけることができる。このため、バナナ等の房から発生するエチレンガスを複数の開孔部分を通じて袋の外に速やかに排出することが容易になる。
【００１８】
なお、少なくとも２列の開閉列において一つの開孔部分と一つの閉孔部分とが、底部から挿入口部に向かう方向に互いに異なる位置に並んでいるので、酸素ガス等の外気が袋の内部に入ることを防止することができるだけでなく、虫が袋の内部に入ることを効果的に防止することができる。
【発明の効果】
【００１９】
以上のように、本発明によれば、酸素ガスを含む空気等の外気や虫が袋の内部に入ることを防止することができ、かつ、収納物としてのバナナ、ブロッコリー等の青果物から発生したガスを袋の外に排出することが可能になる。
【図面の簡単な説明】
【００２０】
【図１】本発明の一つの実施の形態としての青果物用包装袋を示す正面図である。
【図２】図１のＩＩ−ＩＩ線に沿った方向から見た部分拡大断面図である。
【図３】図１のＩＩＩ−ＩＩＩ線に沿った方向から見た部分拡大断面図である。
【図４】本発明の一つの実施の形態としての青果物用包装袋において内部で発生したガスの排出機構を示す部分拡大正面図である。
【図５】本発明の一つの実施の形態としての青果物用包装袋を用いてバナナを収納した状態を示す斜視図である。
【図６】本発明の一つの実施の形態としての青果物用包装袋を用いてバナナを収納して挿入口を密封した状態を示す斜視図である。
【図７】本発明の一つの比較の形態としての青果物用包装袋を示す正面図である。
【図８】本発明のもう一つの比較の形態としての青果物用包装袋を示す正面図である。
【図９】本発明の別の実施の形態としての青果物用包装袋を示す正面図である。
【発明を実施するための形態】
【００２１】
以下、本発明の実施の形態を図面に基づいて説明する。
【００２２】
図１〜図３に示すように、青果物用包装体の一つの例としてバナナ用包装袋１は、２枚の合成樹脂製フィルム１ａ、１ｂからなる青果物用包装袋である。たとえば、合成樹脂製フィルム１ａ、１ｂとして、厚みが２５μｍの防曇処理が施されたＯＰＰ（オリエンテッドポリプロピレン；延伸ポリプロピレン）フィルムが用いられるが、これに限定されることがなく、一般的なＰＰ（ポリプロピレン）フィルム、ＰＥ（ポリエチレン）フィルム等が用いられてもよい。
【００２３】
バナナ用包装袋１は、挿入口部１１と、底部１２と、一方側端部１３と、他方側端部１４とを備える。
【００２４】
挿入口部１１は、２枚の合成樹脂製フィルム１ａ、１ｂの端縁が重なり合って連続して溶着されないで形成された開口部分からなり、青果物を挿入するために用いられる。底部１２には、２枚の合成樹脂製フィルム１ａ、１ｂの一部が重なり合って溶着されないで形成された複数の開孔部分１２１と、２枚の合成樹脂製フィルム１ａ、１ｂの一部が重なり合って溶着されて形成された複数の閉孔部分１２２とが配置されている。
【００２５】
一方側端部１３は、挿入口部１１から、底部１２に向かって延び、２枚の合成樹脂製フィルム１ａ、１ｂの端縁が重なり合って連続して溶着されて形成されている。また、一方側端部１３は、底部１２に向かうにつれて湾曲するように形成されており、挿入口部１１側では直線状の端縁を有し、底部１２側では円弧状の端縁を有する。他方側端部１４は、挿入口部１１から、底部１２に向かって延び、一方側端部１３に対向する側に配置され、２枚の合成樹脂製フィルム１ａ、１ｂの端縁が重なり合って連続して溶着されて形成されている。他方側端部１４は、全体にわたって直線状の端縁を有する。
【００２６】
２つの開閉列１２０ａ、１２０ｂが底部１２に形成されている。開閉列１２０ａ、１２０ｂのそれぞれは、複数の開孔部分１２１と閉孔部分１２２の群からなる。一つの開孔部分１２１と一つの閉孔部分１２２とが底部１２の縁の延びる方向に互い違いに並んで形成されている。開閉列１２０ａ、１２０ｂのそれぞれは、底部１２の縁にそって配置されている。２列の開閉列１２０ａ、１２０ｂにおいて、一つの開孔部分１２１と一つの閉孔部分１２２とが、底部１２から挿入口部１１に向かう方向に互いに異なる位置に並んでいる。すなわち、複数の開孔部分１２１と閉孔部分１２２の群は、底部１２の縁の延びる方向だけでなく、底部１２の縁の延びる方向に交差する方向（直交する方向）、すなわち、底部１２と挿入口部１１とを結ぶ方向においても、一つの開孔部分１２１と一つの閉孔部分１２２とが、互い違いに並んで、互いに異なる位置に並んでいる。
【００２７】
図２に示すように、開孔部分１２１では、２枚の合成樹脂製フィルム１ａ、１ｂの一部が重なり合って溶着されていないので、ガスが通過し得るだけの空間が形成されている。底部１２側の端縁部に形成された開孔部分１２１は、袋の外に通じる開放口１２３を有する。これに対して、閉孔部分１２２は２枚の合成樹脂製フィルム１ａ、１ｂの一部が重なり合って溶着されているので、ガスの通過を止める側壁を形成している。閉孔部分１２２の挿入口部１１側では、２枚の合成樹脂製フィルム１ａ、１ｂの一部が重なり合って溶着されていないので、バナナを収納するための空間、すなわち、袋内部１０が形成されている。
【００２８】
図３に示すように、閉孔部分１２２の挿入口部１１側では、２枚の合成樹脂製フィルム１ａ、１ｂの一部が重なり合って溶着されていないので、開孔部分１２１に隣接して、バナナを収納するための空間、すなわち、袋内部１０が形成されている。
【００２９】
図４に示すように、袋内で発生したガスは、矢印Ｇで示すように、２つの閉孔部分１２２で挟まれた開孔部分１２１を通じて底部１２の端縁に形成された開放口１２３から外に排出される。このとき、閉孔部分１２２はガスの通過を止めるように作用する。
【００３０】
なお、開孔部分１２１と閉孔部分１２２の長さと間隔は、たとえば、１６ｍｍ程度であるが、この長さや間隔に限定されることがなく、収納物や袋の大きさに応じて適宜変更することができる。また、形成される開閉列の数は２つに限定されることがなく、収納物や袋の大きさに応じて適宜変更することができる。
【００３１】
以上のように構成されたバナナ用包装袋１を用いて、図５に示すように、バナナ１００を挿入口部１１からバナナ用包装袋１内に収納する。その後、図６に示すように、バックシーラーによりシール２００を用いて、挿入口部１１を密封する。この状態でバナナ１００が店等に陳列される。このとき、収納物としてのバナナ１００からエチレンガス等のガスが袋内で発生すると、袋内は密閉空間になっているので、袋が膨れ、袋の内圧が高まる。この圧力でエチレンガスが、図４に示すように複数の開孔部分１２１を通じて袋の外に排出される。このため、バナナ１００が発生したガスによる悪影響を受けることなく、バナナ１００の鮮度や品質を保持することができる。たとえば、バナナ１００が黒くなるのを防止することができ、バナナ１００を見栄え良く保持することができる。
【００３２】
また、袋の内部で発生したガスの圧力により、空気等の外気が複数の開孔部分１２１を通じて袋の内部に入ることを防止することができる。このため、酸素ガスが袋の内部に入らないので、バナナ１００が酸化するのを防止することができる。これにより、バナナ１００が腐敗することもなく、美味や鮮度を保つことができる。
【００３３】
さらに、バナナ１００からガスが発生している間は、内圧が外圧よりも高いが、ガスが発生しなくなると、内圧と外圧が平衡状態になる。このときにも、複数の開孔部分１２１を通じたガスの出入りがなくなるので、空気等の外気が複数の開孔部分１２１を通じて袋の内部に入ることを防止することができる。
【００３４】
特に、本発明のバナナ用包装袋１では、複数の開孔部分１２１と閉孔部分１２２の群からなる開閉列１２０ａ、１２０ｂが、袋の底部１２に位置づけられている。房１１０の拡がった部分を有するバナナ１００を収納すると、その拡がった部分を袋の底部１２に位置づけることができる。このため、バナナ１００の房１１０から発生するエチレンガスを複数の開孔部分１２１を通じて袋の外に速やかに排出することが容易になる。
【００３５】
なお、２列の開閉列１２０ａ、１２０ｂにおいて一つの開孔部分１２１と一つの閉孔部分１２２とが、底部１２から挿入口部１１に向かう方向に互いに異なる位置に並んでいるので、酸素ガス等の外気が袋の内部に入ることを防止することができるだけでなく、虫が袋の内部に入ることを効果的に防止することができる。
【００３６】
本発明のバナナ用包装袋１の代わりに、図７に示すように、多数の微細な孔（図示せず）が形成されたバナナ用包装袋２を用いて、上記と同様にしてバナナを収納する。この場合、バナナ用包装袋２の外から多数の微細な孔を通じて酸素ガスがバナナ用包装袋２の内部に入り難いのでバナナの酸化に起因する品質の劣化を抑えることができ、バナナ用包装袋２の内部への虫の侵入を防止することができる。しかし、バナナから発生したエチレンガスがバナナ用包装袋２の内部に溜りやすい。このため、バナナ用包装袋２を用いると、本発明のバナナ用包装袋１を用いた場合に比べて、バナナが黒くなる表面積が大きくなり、見栄えが悪くなる。
【００３７】
また、図８に示すように、バナナの長さに対応して間隔をあけて、開口径が６〜１０ｍｍ程度の６個の孔３１を並べて形成したバナナ用包装袋３を用いて、上記と同様にしてバナナを収納する。この場合、バナナから発生したエチレンガスを６個の孔３１から放出することができる。しかし、バナナ用包装袋３の外から孔３１を通じて酸素ガスがバナナ用包装袋３の内部に入るため、バナナが酸化して品質が劣化する。
【００３８】
なお、上記の実施の形態では、本発明の包装袋を用いてバナナを収納した例について説明したが、図９に示すように、ブロッコリー用包装袋４を用いて、房３１０を有するブロッコリー３００を収納しても、上記と同様の作用効果を達成することができる。この場合、一方側端部１３と他方側端部１４のそれぞれが、底部１２に向かうにつれて湾曲するように形成されていてもよい。本発明の包装袋は、収納物としてバナナ、ブロッコリーに限定されることがなく、ガスを発生し得る種々の青果物を収納する場合に適用することができる。
【００３９】
今回開示された実施の形態はすべての点で例示であって制限的なものではないと考慮されるべきである。本発明の範囲は以上の実施の形態ではなく、特許請求の範囲によって示され、特許請求の範囲と均等の意味および範囲内でのすべての修正と変形を含むものであることが意図される。
【符号の説明】
【００４０】
１，２，３：バナナ用包装袋、１ａ，１ｂ：合成樹脂製フィルム、４：ブロッコリー用包装袋、１０：袋内部、１１：挿入口部、１２：底部、１３：一方測端部、１４：他方側端部、１００：バナナ、１１０，３１０：房、１２０ａ，１２０ｂ：開閉列、１２１：開孔部分、１２２：閉孔部分、２００：シール、３００：ブロッコリー。
【図１】
2013086854.tif 000003
【図２】
2013086854.tif 000004
【図３】
2013086854.tif 000005
【図４】
2013086854.tif 000006
【図５】
2013086854.tif 000007
【図６】
2013086854.tif 000008
【図７】
2013086854.tif 000009
【図８】
2013086854.tif 000010
【図９】
2013086854.tif 000011